(57)【特許請求の範囲】
【請求項１】
ドアの形成された正面パネルの側方及び後方に側面パネルが配備され、
前記正面パネル及び前記側面パネルの上方をシーリングプレート、下方をプラットフォー
ムで塞いだエレベータかごに換気口を設けた非常用換気口を具えるエレベータであって、
前記側面パネルは、前記プラットフォームに立設されたかご室側に向かって開口した断面
コ字状のベース部材を介して前記プラットフォームに固定され、
前記ベース部材は、
前記プラットフォームに垂直な垂直部と、
前記プラットフォームに平行な水平部と、を有し、
前記垂直部に前記換気口が開設され、
前記ベース部材には、前記換気口を開閉する開閉部材を具える開閉装置が配置され、
前記開閉部材は、前記換気口を前記開閉装置が閉塞するとき、前記換気口に挿入されて前記垂直部の塔内側の面と略面一となる凸部突出面を有する、
非常用換気口を具えるエレベータ。
【請求項２】
前記垂直部の塔内側の面と前記プラットフォームの塔内側端面が略面一である、
請求項１に記載の非常用換気口を具えるエレベータ。
【請求項３】
前記水平部は、前記垂直部の上下端からそれぞれかご室側へ延設され、
上側の前記水平部の上方には、表板面を塔内側に向け、前記表板面と前記垂直部の塔内側
の面とが略面一となるように固定された側面外パネルを有する、
請求項１又は２に記載の非常用換気口を具えるエレベータ。 
【発明の詳細な説明】
【技術分野】
【０００１】
本発明は、非常用換気口をかごに設けたエレベータに関するものである。
【背景技術】
【０００２】
近年、建物の高層化に伴い、分速数百メートルの速さでかごを昇降させる高速エレベータが種々提案されている。この種のエレベータでは、昇降時の急激な気圧変化により乗客に違和感を与えることがないように、かご内を吸排気するブロワーの如き気圧調整装置によってかご内の気圧調整を行なっている。
【０００３】
かご内の気圧を最適な状態に制御するためには、気密性の高い構造を有するかごを使用する必要がある。一方で、気密性を高めると、停電等によって給電が停止して気圧調整装置の稼働が停止したときに、かご内が酸欠となる虞がある。そこで、エレベータでは、かごに非常用換気口（以下単に「換気口」と称する）を設けることが規格として定められている。この換気口は、通常時は蓋のような開閉部材により閉塞されている。そして、停電等によりエレベータへの給電が停止すると、開閉部材を開く制御が行なわれる。
【０００４】
たとえば、特許文献１では、かごの側面パネルをプラットフォームに固定する、断面略コ字状で周面外向きに開口したベース部材の垂直部分に換気口を設けた構成を開示している。
【０００５】
ところでこの種の高速エレベータは、走行時に空気の抵抗を受け、風切り音などの騒音や振動を生じ、エレベータ乗客が不快に感じることがある。そのため、特許文献２のような整風カバーをエレベータかごの周囲へ設け、走行時の風を整風することが行われている。
【先行技術文献】
【特許文献】
【０００６】
【特許文献１】特開２０１７−１１４６２５号公報
【特許文献２】特開平６−３０５６６７号公報
【発明の概要】
【発明が解決しようとする課題】
【０００７】
しかしながら、特許文献１のように、断面略コ字状で周面外向きに開口したベース部材の垂直部分に換気口を設け、且つ、特許文献２のように、整風カバーをエレベータかごの周囲へ設ける場合、換気が必要なため、ベース部材の塔内側を完全に塞ぐことができず、当該部分で騒音及び振動を誘引し、十分な整風効果を得ることができないという問題があった。
【０００８】
本発明の目的は、非常用換気口の換気機能を維持しつつ、エレベータかご周囲を効率良く整風することのできるエレベータ提供することである。
【課題を解決するための手段】
【０００９】
上記課題を解決するために、本発明の非常用換気口を具えるエレベータは、ドアの形成された正面パネルの側方及び後方に側面パネルが配備され、前記正面パネル及び前記側面パネルの上方をシーリングプレート、下方をプラットフォームで塞いだエレベータかごに換気口を設けた非常用換気口を具えるエレベータであって、 前記側面パネルは、前記プラットフォームに立設されたかご室側に向かって開口した断面コ字状のベース部材を介して前記プラットフォームに固定され、前記ベース部材に、前記換気口が形成されている。
【００１０】
また、上記課題を解決するために、本発明の非常用換気口を具えるエレベータは、前記ベース部材は、前記プラットフォームに垂直な垂直部と、前記プラットフォームに平行な水平部と、を有し、前記垂直部に前記換気口が開設されている。
【００１１】
また、上記課題を解決するために、本発明の非常用換気口を具えるエレベータは、前記垂直部の塔内側の面と前記プラットフォームの塔内側端面が略面一である。
【００１２】
また、上記課題を解決するために、本発明の非常用換気口を具えるエレベータは、前記水平部は、前記垂直部の上下端からそれぞれかご室側へ延設され、上側の前記水平部の上方には、表板面を塔内側に向け、前記表板面と前記垂直部の塔内側の面とが略面一となるように固定された側面外パネルを有する。
【００１３】
また、上記課題を解決するために、本発明の非常用換気口を具えるエレベータは、前記ベース部材には、前記換気口を開閉する開閉部材を具える開閉装置が配置される。
【発明の効果】
【００１４】
本発明によれば、プラットフォームに立設されたかご室側に向かって開口した断面コ字状のベース部材に換気口が形成されているため、非常用換気口の換気機能を維持しつつ、エレベータかご周囲を効率良く整風することのできるエレベータを提供することができる。
【図面の簡単な説明】
【００１５】
【図１】図１は、本発明の第１実施形態における換気口が開設されるエレベータかごの概略構成を示す斜視図である。
【図２】図２は、本発明の第１実施形態におけるエレベータかごの上部及び下部に整風カバーを取り付けた概略構成を示す斜視図である。
【図３】図３は、本発明の第１実施形態における換気口が開設されるベース部材の要部拡大図であって、開閉部材により換気口を開放した状態を示している。
【図４】図４は、本発明の第１実施形態における換気口が開設されるベース部材の要部拡大図であって、開閉部材により換気口を閉塞した状態を示している。
【図５】図５は、開閉装置の構成を示すブロック図である。
【図６】図６は、本発明の変形例における換気口が開設されるベース部材の要部拡大図であって、開閉部材により換気口を開放した状態を示している。
【図７】図７は、本発明の変形例における換気口が開設されるベース部材の要部拡大図であって、開閉部材により換気口を閉塞した状態を示している。
【発明を実施するための形態】
【００１６】
以下、非常用換気口を具えるエレベータにおける一実施形態について、図１〜図５を参照しながら説明する。なお、各図（図６及び図７も同様）において、図面の寸法比と実際の寸法比とは、必ずしも一致しておらず、また、各図面の間での寸法比も、必ずしも一致していない。
【００１７】
＜第１実施形態＞
図１は、本発明の第１実施形態であるエレベータかご１の概略構成を示す斜視図、図２は、本発明の第１実施形態であるエレベータかご１の上部及び下部に上側整風カバー９及び下側整風カバー１０を取り付けた概略構成を示す斜視図である。図１では、エレベータかご１を正面上方（乗客が乗降するドア４側）から見ている。エレベータかご１は、エレベータシャフト内を昇降可能に配置される。
【００１８】
図１に示すように、エレベータかご１は、ドア４を具える正面パネル３の側方及び後方に側面パネル２が配備され、これらパネル３，４の上下をシーリングプレート８（天井板）及びプラットフォーム７（床板）で塞いで乗客の搭乗する空間が形成されている。シーリングプレート８には、気圧制御装置であるブロワー１６が設けられており、エレベータかご１の内部の空気を給排気して、エレベータかご１の気圧を制御している。
【００１９】
図１及び図２に示すように、側面パネル２とプラットフォーム７の間には、これらを跨ぐようにベース部材５が設けられている。ベース部材５には、図１乃至図４に示すように、プラットフォーム７に沿って複数の換気口Ａが開設されている。本実施形態では、換気口Ａは、各ベース部材５に３つずつ形成しており、その夫々に換気口Ａを開閉する開閉機構６０（図１及び図２には示さず）を配備している。
【００２０】
ベース部材５のエレベータかご１内側には、化粧パネルとなるキックプレート１４が配置されている。キックプレート１４は、換気口Ａからの換気を許容すべく、ベース部材５から所定の間隔、たとえば、１０ｍｍ程度離間して配置され、さらに、側面パネル２及び／又はプラットフォーム７との間にも、換気口Ａを通じた換気を許容するための隙間が形成されている。なお、キックプレート１４は、金具等によって側面パネル２、プラットフォーム７及び／又はベース部材５に取り付けることができる。
【００２１】
上記のようにキックプレート１４を配置することで、換気口Ａは乗客から容易に視認することはできないから、換気口Ａを設けたことによるエレベータかご１内の意匠性の低下を防止することができる。
【００２２】
望ましくは、ベース部材５は、側面パネル２よりもエレベータかご１の外側に凹んだ位置に配置し、キックプレート１４が、側面パネル２と略面一となるようにすることで、エレベータかご１内の意匠性の低下を防止することができる。
【００２３】
換気口Ａは、矩形、たとえば横長の長方形状とすることができる。換気口Ａは、総開口面積が欧州規格（ＥＮ８１）やＡＳＭＥ規格におけるエレベータに関する基準を満たすために、床面積の３．５％とすることができる。
【００２４】
図１、図３及び図４に示すように、ベース部材５は、断面略コ字状で周面内向きに開口しており、換気口Ａは、ベース部材５の垂直部５ａに開設されている。なお、図１、図３及び図４では、ベース部材５の一部を省略している。開閉機構６０は、ベース部材５のコ字状スペースに配置されている。なお、ＦＬはエレベータかご１内の床面の高さを表す。
【００２５】
開閉機構６０は、開閉装置６の可動部分を構成する。開閉機構６０は、図３及び図４に示すように、換気口Ａを開放、閉塞する蓋板となる開閉部材１１と、開閉部材１１を水平方向にスライドさせる自己保持型ソレノイド１３を具える。図示の実施形態では、１つの開閉部材１１に対して１つの自己保持型ソレノイド１３を配置している。
【００２６】
自己保持型ソレノイド１３は、図示しないブラケット等を介してベース部材５に固定される。なお、自己保持型ソレノイド１３の動作は、周知の自己保持型ソレノイドと同様である。
【００２７】
開閉部材１１は、換気口Ａよりもやや大きくなるように形成された板状部材とすることができる。本実施形態では、開閉部材１１は、換気口Ａを内側から塞ぐ構成であって、すなわち、図３等におけるＸ方向が換気口Ａを閉塞する方向（以下適宜「前進」、「前進方向」又は「塔内側」と称する）、Ｙ方向が換気口Ａを開放する方向（以下適宜「後退」、「後退方向」又は「かご室側」と称する）に移動可能となっている。
【００２８】
開閉部材１１には、図３や図４に示すように、換気口Ａへの密閉性を高めるために、換気口Ａの周縁を構成するベース部材５との突き合わせ面に気密材１２を装着している。気密材１２は、スポンジやゴム等の部材により構成することができる。
【００２９】
上記構成の自己保持型ソレノイド１３を含む開閉機構６０は、後述する制御機構１８に電気的に接続されて開閉装置６を構成し、制御機構１８により制御される。
【００３０】
たとえば、自己保持型ソレノイド１３に通電を行なうことにより、図示しないプランジャーが図４に示すようにＸ方向に前進して、図４に示すように開閉部材１１が換気口Ａを閉塞する第１の位置に移動する。そして、自己保持型ソレノイド１３の通電を遮断した状態においても、永久磁石等により磁気回路が形成され、その磁力により、開閉部材１１は第１の位置で保持される。
【００３１】
一方、第自己保持型ソレノイド１３が停電等により、給電が停止されると、図示しないプランジャーが図３に示すようにＹ方向に後退して、図３に示すように開閉部材１１が換気口Ａを開放する第２の位置に移動する。そして、自己保持型ソレノイド１３に給電が停止した状態においても、永久磁石等により磁気回路が形成され、その磁力により、開閉部材１１は第２の位置で保持される。
【００３２】
図５は、開閉装置６のブロック図である。図５に示すように、開閉装置６は、開閉機構６０と制御機構１８を具える。図５では、各換気口Ａに配置される開閉機構６０の複数をまとめて１の制御機構１８によって制御する構成とすることができる。図示では、ベース部材５に形成された換気口Ａの開閉機構６０を１の制御機構１８によって制御するようにしている。
【００３３】
このように、本実施形態によれば、自己保持型ソレノイド１３に所定時間電流を流すことにより、図示しないプランジャーは第１の位置に移動して、換気口Ａを開閉部材１１で閉じることができる。また、給電開始から所定時間経過後は、自己保持型ソレノイド１３に常時電流を流さなくても、形成される磁気回路によってプランジャーは第１の位置で保持されるから、開閉部材１１による換気口Ａの閉塞を維持することができる。従って、少ない消費電力で換気口Ａを閉じ、且つ、その状態を維持することができる。
【００３４】
停電等により自己保持型ソレノイド１３への給電が停止すると、プランジャーがＹ方向に後退する。プランジャーの後退により、開閉部材１１が、換気口Ａが開く第２の位置まで後退する。そして、換気口Ａが開くことで、エレベータかご１の気密状態が解除され、エレベータかご１内は、ベース部材５に形成された換気口Ａを通じて外部と換気可能に連通される。
【００３５】
なお、図示しないプランジャーは形成された磁気回路の磁力により、第２の位置で保
持され、換気口Ａは開いた状態で維持される。
【００３６】
このように、本実施形態によれば、停電等により給電が停止した場合、自己保持型ソレノイド１３により、図示しないプランジャーは第２の位置に移動し、その結果、開閉部材１１は換気口Ａを開く。また、自己保持型ソレノイド１３の自己保持機能によりよってプランジャーは第２の位置で保持されるから、開閉部材１１による換気口Ａの開放を維持することができる。従って、少ない消費電力で換気口Ａを開き、且つ、その状態を維持することができる。
【００３７】
その後、停電が終了し、直流電圧２４Ｖの自己保持型ソレノイド１３への給電が再開すると、再び開閉部材１１により換気口Ａが閉塞され、以後エレベータかご１の内部の気密性も維持される。
【００３８】
以上のように、本発明によれば、自己保持型ソレノイド１３に常時電流を流すことなく、開閉部材１１による換気口Ａの閉塞又は開放を維持することができるため、エレベータ全体の消費電力が抑えられる。従って、エレベータのかご１０に設けられた換気口Ａの自動開閉を少ない消費電力で実現することが可能となる。また、これら動作には保守員等の操作も不要である。
【００３９】
＜第２実施形態＞
上記第１実施形態では、１の開閉部材１１を１の自己保持型ソレノイド１３によって動作させる構成としているが、１の開閉部材１１に対して２の自己保持型ソレノイド１３を配置する構成としても構わない。この場合、換気口Ａ及び開閉部材１１は、第１実施形態よりも大きく形成して、個々の自己保持型ソレノイド１３の負荷を小さくすることが好適である。なお、換気口Ａを大きくした分、換気口Ａの数を上記第１実施形態よりも減らせばよい。
【００４０】
以上より、本実施形態に係る非常用換気口を具えるエレベータは、ドア４の形成された正面パネル３の側方及び後方に側面パネル２が配備され、前記正面パネル３及び前記側面パネル２の上方をシーリングプレート８、下方をプラットフォーム７で塞いだエレベータかご１に換気口を設けた非常用換気口を具えるエレベータであって、 前記側面パネル２は、前記プラットフォーム７に立設されたかご室側に向かって開口した断面コ字状のベース部材５を介して前記プラットフォーム７に固定され、前記ベース部材５に、前記換気口Ａが形成されている。
【００４１】
斯かる構成によれば、かご室側に向かって開口した断面コ字状のベース部材５をプラットフォーム７に立設し、エレベータかご１の外装のベース部材５部分において、凹部が生じないため、効率良くエレベータかご１周囲を整風することができる。
【００４２】
また、本実施形態に係る非常用換気口を具えるエレベータは、前記ベース部材５は、前記プラットフォーム７に垂直な垂直部５ａと、前記プラットフォーム７に平行な水平部５ｂとを有し、前記垂直部５ａに前記換気口Ａが開設されている。
【００４３】
斯かる構成によれば、かご室側に向かって開口した断面コ字状のベース部材５を構成する垂直部５ａ部分において、凹部が生じないため、効率良くエレベータかご１周囲を整風することができる。
【００４４】
また、本実施形態に係る非常用換気口を具えるエレベータは、前記垂直部５aの塔内側の面と前記プラットフォーム７の塔内側端面が略面一である。
【００４５】
斯かる構成によれば、かご室側に向かって開口した断面コ字状のベース部材５を構成する垂直部５ａとプラットフォーム７の塔内側端面との間に、段差が生じないため、効率良くエレベータかご１周囲を整風することができる。
【００４６】
また、本実施形態に係る非常用換気口を具えるエレベータは、前記水平部５ｂは、前記垂直部５ａの上下端からそれぞれかご室側へ延設され、上側の前記水平部５ｂの上方には、表板面２ｂａを塔内側に向け、前記表板面２ｂａと前記垂直部５ａの塔内側の面とが略面一となるように固定された側面外パネル２ｂを有する。
【００４７】
斯かる構成によれば、エレベータかご１のかご室外周を覆う、塔内側に向けて固定された側面外パネル２ｂの表板面２ｂａと垂直部５ａとの間に、段差が生じないため、効率良くエレベータかご１周囲を整風することができる。
【００４８】
また、本実施形態に係る非常用換気口を具えるエレベータは、前記ベース部材５には、前記換気口Ａを開閉する開閉部材１１を具える開閉装置６が配置される。
【００４９】
斯かる構成によれば、かご室側に向かって開口した断面コ字状のベース部材５に開閉装置６が配置されるため、開閉装置６の保守をかご内室から行うことができ、安全且つ効率良く保守作業を行うことができる。
【００５０】
なお、本発明に係る非常用換気口を具えるエレベータは、上記した実施形態の構成に限定されるものではなく、また、上記した作用効果に限定されるものではない。また、非常用換気口を具えるエレベータは、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５１】
（１）たとえば、開閉機構６０は、上記実施形態の構成の自己保持型ソレノイド１３に限定されず、１つの電磁コイルとコイルバネ等によるプッシュ型ソレノイドを採用することもできる。また、開閉機構６０は、開閉部材１１が換気口Ａを開閉できる構成であれば、ソレノイド作動によるものに限定されない。
【００５２】
（２）上記実施形態の開閉機構６０は、開閉部材１１が、換気口Ａよりもやや大きくなるように形成された板状部材とし、換気口Ａを内側から塞ぐ構成であるが、図６及び図７に示すように、開閉部材１１を換気口Ａよりもやや小さい凸部１９を有する構成としても良い。
【００５３】
具体的には、開閉部材１１の換気口Ａ側の面に凸部１９を設ける。凸部１９は、開閉機構６０が換気口Ａを閉塞する際、換気口Ａに挿入され、閉塞時に凸部突出面１９ａと垂直部５ａの塔内側の面とが略面一となる。
【００５４】
これにより、ベース部材５の換気口Ａに凹部が無くなり、エレベータかご周囲の整風機能をさらに向上させることができる。
【符号の説明】
【００５５】
１  エレベータかご
２  側面パネル
２ａ  側面内パネル
２ｂ  側面外パネル
２ａａ、２ｂａ  表板部
３  正面パネル
４  ドア
５  ベース部材
５ａ  垂直部
５ｂ  水平部
６  開閉装置
７  プラットフォーム
８  シーリングプレート
９  上側整流カバー
１０  下側整流カバー
１１  開閉部材
１２  気密材
１３  ソレノイド
１４  キックプレート
１５、１７  締結材
１６  ブロワー
１８  制御機構
１９  凸部
１９ａ  凸部突出面
６０  開閉機構
Ａ  換気口
【要約】
【課題】本発明は、非常用換気口の換気機能を維持しつつ、エレベータかご周囲を効率良く整風することのできるエレベータ提供することである。
【解決手段】本発明の非常用換気口を具えるエレベータは、ドア４の形成された正面パネル３の側方及び後方に側面パネル２が配備され、前記正面パネル３及び前記側面パネル２の上方をシーリングプレート８、下方をプラットフォーム７で塞いだエレベータかご１に換気口Ａを設けたエレベータであって、 前記側面パネル２は、前記プラットフォーム７に立設されたかご室側に向かって開口した断面コ字状のベース部材５を介して前記プラットフォーム７に固定され、前記ベース部材５に、前記換気口Ａが形成されている。
【選択図】図３【図１】
0006927341.tif 000002
【図２】
0006927341.tif 000003
【図３】
0006927341.tif 000004
【図４】
0006927341.tif 000005
【図５】
0006927341.tif 000006
【図６】
0006927341.tif 000007
【図７】
0006927341.tif 000008